(57)【要約】【課題】軽量で、簡単、かつ、強度の優れた構造のアオリを有するウイングボデーを提供する。【解決手段】ウイングボデー３のアオリ１７Ｌ，１７Ｒは、断熱パネル２３と、第１カバー２５の第１嵌合部３５、第２カバー２７の第２嵌合部５５及び一対の第３カバー２９ａ，２９ｂの第３嵌合部７５を、接着部材によって断熱パネル２３に固着させるように構成したので、穴あけ加工する必要がなく、構造が簡単なものとなる。更に、断熱パネル２３の外縁部を第１カバー２５、第２カバー２７及び第３カバー２９ａ，２９ｂに対し、各々第１嵌合部３５、第２嵌合部５５及び第３嵌合部７５を介して、通しボルトを用いずに固着しているので、全体に均一な強度を持たせることが可能となる。【選択図】図２
2017077826.tif 000002
【特許請求の範囲】
【請求項１】
側面パネルがウイングルーフ及びアオリで構成されるウイングボデーであって、
前記アオリは、断熱パネルと、該断熱パネルの上端に装着される第１カバーと、前記断熱パネルの下端に装着される第２カバーと、前記断熱パネルの側端に装着される一対の第３カバーと、を有し、
前記第１カバーは、前記断熱パネルの上端が嵌合される第１嵌合部を有し、
前記第２カバーは、前記断熱パネルの下端が嵌合される第２嵌合部を有し、
一対の前記第３カバーは、前記断熱パネルの側端が嵌合される第３嵌合部を有し、
前記断熱パネルと、前記第１カバーの前記第１嵌合部、前記第２カバーの前記第２嵌合部及び前記第３カバーの前記第３嵌合部とは、接着部材によって固着されることを特徴とするウイングボデー。
【請求項２】
前記第１嵌合部、前記第２嵌合部及び前記第３嵌合部の内面には、前記接着部材を溜める貯留部を有することを特徴とする請求項１に記載のウイングボデー。
【請求項３】
前記貯留部が、前記断熱パネルとの対向面に沿って延びる溝であることを特徴とする請求項１又は２に記載のウイングボデー。
【発明の詳細な説明】
【技術分野】
【０００１】
本発明は、貨物自動車又はトレーラに搭載されるウイングボデーに関するものであり、特に、ウイングボデーを構成するアオリに特徴を有するものである。
【背景技術】
【０００２】
貨物自動車又はトレーラに搭載されるウイングボデーは、ウイングルーフ及びアオリを備える。ウイングルーフは、荷室の天井を形成する上部パネルと、荷室の側壁を形成する側部パネルとを有する。また、アオリは、荷室の側壁を形成する側部パネルを有することで側面パネルがウイングルーフ及びアオリで構成されている。一般に、ウイングルーフは、上部パネルと側部パネルとが連結部材によって連結されてボデー前後方向の視線でＬ形に形成される。一方、アオリは、ボデーの左右方向の視線で略長方形に形成される。そして、ウイングルーフの上部パネル及び側部パネルと、アオリの側部パネルとに、断熱性が高いパネルを適用したウイングボデーが既知である（例えば、特許文献１参照）。
【０００３】
従来のアオリの一例として、図１１〜図１３に示すアオリ１０１は、断熱性のパネル１０３と、パネル１０３の上端に装着された上部カバー１０５と、パネル１０３の下端に装着された下部カバー１０７と、パネル１０３の側端に装着された一対の側部カバー１０９ａ，１０９ｂと、を有する。この断熱性のパネル１０３は、ボルト１１１，リベット１１２を用いて、上部、下部及び側部カバー１０５，１０７，１０９ａ，１０９ｂに固定されている。ボルト１１１は、長尺のいわゆる通しボルトであり、このボルト１１１を通すために、上部及び下部カバー１０５，１０７、及び、パネル１０３を上下に貫通する複数のボルト穴１１３が設けられている（図１２及び図１３参照）。この断熱性のパネル１０３では、ボルト穴１１３を形成するために、穴あけ加工が必要となるので製造コストの負担が増大する、また、パネル１０３の構造が複雑となる問題がある。更に、アオリ１０１は、ボルト１１１によってアオリ１０１全体の強度を持たせているが、このボルト１１１は、任意の間隔を置いて配置されているので、部位ごとに均一な強度を持たせることができないという問題がある。
【先行技術文献】
【特許文献】
【０００４】
【特許文献１】特開２００９−１０１８４４号公報
【発明の概要】
【発明が解決しようとする課題】
【０００５】
本発明は、上記課題に鑑みてなされたものであり、軽量で、簡単、かつ、強度の優れた構造のアオリを有するウイングボデーを提供することを課題としてなされたものである。
【課題を解決するための手段】
【０００６】
（発明の態様）
以下の発明の態様は、本発明の態様を例示するものであり、本発明の多様な構成要素の理解を容易にするために、項分けして説明するものである。以下の各項は、本発明の技術的範囲を限定するものではなく、本発明を実施する最良の形態を参酌しつつ、各項の構成要素の一部を置換し、削除し、または、さらに他の構成要素を付加した態様についても、本発明の一態様になり得るものである。
【０００７】
（１）側面パネルがウイングルーフ及びアオリで構成されるウイングボデーであって、
前記アオリは、断熱パネルと、該断熱パネルの上端に装着される第１カバーと、前記パネルの下端に装着される第２カバーと、前記断熱パネルの側端に装着される一対の第３カバーと、を有し、
前記第１カバーは、前記断熱パネルの上端が嵌合される第１嵌合部を有し、
前記第２カバーは、前記断熱パネルの下端が嵌合される第２嵌合部を有し、
一対の前記第３カバーは、前記断熱パネルの側端が嵌合される第３嵌合部を有し、
前記断熱パネルと、前記第１カバーの前記第１嵌合部、前記第２カバーの前記第２嵌合部及び前記第３カバーの前記第３嵌合部とは、接着部材によって固着されるウイングボデー（請求項１）。
【０００８】
本項に係るウイングボデーおいて、ウイングボデーのアオリは、断熱パネルと、断熱パネルの上端に装着される、第１嵌合部を有する第１カバーと、断熱パネルの下端に装着される、第２嵌合部を有する第２カバーと、断熱パネルの側端に装着される、第３嵌合部を有する一対の第３カバーと、を有している。そして、断熱パネルと、第１カバーの第１嵌合部、第２カバーの第２嵌合部及び第３カバーの第３嵌合部とは、接着部材によって固着されている。これにより、断熱パネルは、軽量化され、かつ、各部の固定にボルトを用いる場合に必要となる穴あけ加工が不要になるので、加工工数が減少し、構造が簡単なものとなる。
更に、断熱パネルは、断熱パネルの外縁部（上端、下端及び側端）を第１カバー、第２カバー及び第３カバーに対し、各々第１嵌合部、第２嵌合部及び第３嵌合部を介して、通しボルトを用いずに固着しているので、全体に均一な強度を持たせるものとなる。
【０００９】
（２）上記（１）項において、前記第１嵌合部、前記第２嵌合部及び前記第３嵌合部の内面には、前記接着部材を溜める貯留部を有するウイングボデー（請求項２）。
【００１０】
本項に係るウイングボデーおいて、第１嵌合部、第２嵌合部及び第３嵌合部の内面に貯留部を設けることにより、この貯留部に接着部材を適量に溜められるものとなり、接着強度を安定させるものとなる。また、接着部材の無駄を省き、コストを抑えるものとなる。
また、断熱パネルを第１嵌合部、第２嵌合部及び第３嵌合部に嵌合する際、接着部材のはみ出しを防ぐものとなる。
【００１１】
（３）上記（１）又は（２）項において、前記貯留部が、前記断熱パネルとの対向面に沿って延びる溝であるウイングボデー（請求項３）。
【００１２】
本項に係るウイングボデーおいて、貯留部は溝であり、この溝が断熱パネルとの対向面に沿って延びるように形成されていることにより、断熱パネルの表面に沿った広い範囲に接着部材が塗布され、断熱パネルとの固着をより確実にするものとなる。
【発明の効果】
【００１３】
本発明によれば、軽量で、簡単、かつ、強度の優れた構造のアオリを有するウイングボデーを提供することができる。
【図面の簡単な説明】
【００１４】
【図１】本発明の一実施形態に係るウイングボデーを搭載したトレーラを示し、（ａ）は、閉じた状態のウイングボデーの概略斜視図、（ｂ）は、一部開いた状態のウイングボデーの概略斜視図である。
【図２】図１に示すアオリの概略平面図である。
【図３】図２のＡ−Ａ線に沿う断面図（部分拡大図）である。
【図４】図２のＢ−Ｂ線に沿う断面図（部分拡大図）である。
【図５】図２に示すアオリの第１カバーの平面図である。
【図６】図５のＣ−Ｃ線に沿う断面図（拡大図）である。
【図７】図２に示すアオリの第２カバーの平面図である。
【図８】図７のＤ−Ｄ線に沿う断面図（拡大図）である。
【図９】図２に示すアオリの第３カバーの平面図である。
【図１０】図９のＥ−Ｅ線に沿う断面図（拡大図）である。
【図１１】従来のウイングボデーの、アオリの一例を示す概略平面図である。
【図１２】図１１のＦ−Ｆ線に沿う断面図である
【図１３】図１１のＧ−Ｇ線に沿う断面図である。
【発明を実施するための形態】
【００１５】
本発明の一実施形態を添付した図を参照して説明する。なお、便宜上、図１（ａ），（ｂ）におけるＸ方向を前後方向（ボデー前後方向）、図１（ａ），（ｂ）におけるＹ方向を上下方向、及び、図１（ａ），（ｂ）におけるＺ方向を左右方向と定義する。
【００１６】
図１（ａ）は、ウイングボデー３を搭載したトレーラ１の閉じた状態の概略斜視図を示し、図１（ｂ）は、同じく一部開いた状態の概略斜視図である。図１（ａ），（ｂ）に示されているように、ウイングボデー３は、前端部に設けられる門形の前枠５と、後端部に設けられる門形の後枠７と、前枠５と後枠７との間に架設されてＸ方向に沿って水平に延びるセンタレール９と、ヒンジ機構（図示省略）を介してセンタレール９に取付けられて翼状に開閉する左右一対のウイングルーフ１１Ｌ，１１Ｒと、ヒンジ３１（図２参照）を介してトレーラ１の荷室１３の底板１５の側部に取付けられて開閉する左右一対のアオリ１７Ｌ，１７Ｒと、を有する。前後に隣接する各アオリ１７Ｌ，１７Ｒの間には、それらを閉じた状態で安定させるための複数の中間柱６が立設されている。なお、ウイングルーフ１１Ｌとウイングルーフ１１Ｒと、及び、アオリ１７Ｌとアオリ１７Ｒとは、略左右対称であって基本構造が同一である。ここでは、説明の便宜上、ウイングルーフ１１Ｌ及びアタリ１７Ｌの構造のみを説明し、ウイングルーフ１１Ｒ及びアタリ１７Ｒの構造の説明を省略する。
【００１７】
ウイングルーフ１１Ｌは、ウイングボデー１の荷室１３の天井を形成する矩形の上部パネル１９と、荷室の側壁を形成する矩形の側部パネル２１と、上部パネル１９と側部パネル２１とを連結する連結部材（図示省略）と、を有する。上部パネル１９及び側部パネル２１は、断熱部材からなり、単一層から成る。なお、上部パネル１９及び側部パネル２１は、外装板と内装板との間に断熱層部材を挟む構造のサンドイッチパネルを用いてもよい。
【００１８】
図２は、アオリ１７Ｌの概略平面図を示し、図３は、図２のＡ−Ａ線に沿った断面図を示し、図４は、図２のＢ−Ｂ線に沿った断面図である。図２、図３及び図４に示すように、アオリ１７Ｌは、上部パネル１９及び側部パネル２１と同様の断熱パネル２３が用いられている。そして、断熱パネル２３の上端に装着される第１カバー２５と、断熱パネル２３の下端に装着される第２カバー２７と、断熱パネル２３の側端に装着される一対の第３カバー２９ａ，２９ｂと、を有する。断熱パネル２３は、平面視矩形状であり、単一層から成る。第１カバー２５、第２カバー２７及び第３カバー２９ａ，２９ｂは、アルミニウム合金からなる押出し成形品である。
【００１９】
図５は、アオリ１７Ｌの第１カバー２５の平面図を示し、図６は、図５のＣ−Ｃ線に沿った断面を拡大図示したものである。図５及び図６に示すように、第１カバー２５は、第１胴体部３３と、この第１胴体部３３と一体に形成される第１嵌合部３５と、を有する。第１カバー２５は、断熱パネル２３の上端を、Ｘ方向の全域に渡り被っている。第１胴体部３３のＹ方向の中間部の側端には、トレーラ１の前枠５、後枠７及び中間柱６に設けられたロック機構８（図１（ａ），（ｂ）参照）を掛ける一対のフック３７が設けられている。第１嵌合部３５は、Ｚ方向に一定の間隔をあけて対向配置される一対の押え板３９，４１と、この押え板３９と押え板４１とを接続する壁４３と、一対の押え板３９，４１の内面に形成された貯留部４５，４７（溝）と、を有する。一対の押え板３９，４１のうち、図６の左側（荷室の外側）に配置される第１押え板３９は、第１胴体部３３の前後側端に渡り、壁４３の図６の左端から下方向へ延びている（図３参照）。他方、図６の右側（荷室の内側）に配置される第２押え板４１は、第１胴体部３３の前後側端に渡り、壁４３の図６の右端から下方向へ延びている（図３参照）。第１及び第２押え板３９，４１の外面のＹ方向の略中間部は、第１嵌合部３５のＺ方向の幅が広がるように、テーパ面４９，５１が形成され、これによって、拡幅された第１嵌合部３５の、断熱パネル２３との対向面に沿って、貯留部４５，４７が、第１胴体部３３の前後側端に渡り延びるように形成される。
【００２０】
図７は、アオリ１７Ｌの第２カバー２７の平面図を示し、図８は、図７のＤ−Ｄ線に沿った断面を拡大図示したものである。図７及び図８に示すように、第２カバー２７は、第２胴体部５３と、この第２胴体部５３と一体に形成される第２嵌合部５５と、を有する。第２カバー２７は、断熱パネル２３の下端を、Ｘ方向の全域に渡り被っている。また、第２カバー２７の下部には、トレーラ１の荷室１３の底板１５と連結する複数のヒンジ３１（図７参照）が取付けらている。第２嵌合部５５は、Ｚ方向に一定の間隔をあけて対向配置される一対の押え板５７，５９と、この押え板５７と押え板５９とを接続する壁６１と、一対の押え板５７，５９の内面に形成された貯留部６３，６５（溝）と、を有する。一対の押え板５７，５９のうち、図８の左側（荷室の外側）に配置される第３押え板５７は、第２胴体部５３の前後側端に渡り、壁６１の図８の左端から上方向へ延びている（図３参照）。他方、図８の右側（荷室の内側）に配置される第４押え板５９は、第２胴体部５３の前後側端に渡り、壁６１の図８の右端から上方向へ延びている（図３参照）。第３及び第４押え板５７，５９の外面のＸ方向の略中間部は、第２嵌合部５５のＺ方向の幅が広がるように、テーパ面６７，６９が形成され、これによって、拡幅された第２嵌合部５５の、断熱パネル２３との対向面に沿って、貯留部６３，６５が、第２胴体部５３の前後側端に渡り、延びるように形成される。
【００２１】
図９は、アオリ１７Ｌの第３カバー２９ａの平面図を示し、図１０は、図９のＥ−Ｅ線に沿った断面を拡大図示したものである。第３カバー２９ａと第３カバー２９ｂとは、対称形であるから、主に前者について説明する。図９及び図１０に示すように、第３カバー２９ａは、平面視略凸状に形成され、凸部分７１が断熱パネル２３の側端を被っている。また、この第３カバー２９ａは、収納部７３と、この収納部７３と一体に形成される第３嵌合部７５と、第１カバー２５及び第２カバー２７の側部を被う被覆部７７，７９と、を有している。収納部７３は、断面視略Ｌ字状であり、トレーラ１の前枠５、後枠７及び中間柱６に設けられたゴム板（図示省略）を収納するものである。第３嵌合部７５は、Ｚ方向に一定の間隔をあけて対向配置される一対の押え板８１，８３と、この押え板８１と押え板８３とを接続する壁８５と、一対の押え板８１，８３の内面に形成された貯留部８７，８９（溝）と、を有する。一対の押え板８１，８３のうち、図１０の下側（荷室の外側）に配置される第５押え板８１は、壁８５の図１０の下端からＸ方向へ延びている（図４参照）。他方、図１０の上側（荷室の内側）に配置される第６押え板８３は、壁８５の図１０の上端からＸ方向へ延びている（図４参照）。また、これら第５及び第６押え板８１，８３は、第１カバー２５及び第２カバー２７と共に、断熱パネル２３に組付けられた状態で、第１カバー２５の第１押え板３９及び第２押え板４１、並びに、第２カバー２７の第１押え板５７及び第２押え板５９の間に渡って、Ｙ方向に延びるように形成されている。第５及び第６押え板８１，８３の外面のＸ方向の略中間部は、第３嵌合部７５のＺ方向の幅が広がるように、テーパ面９３，９５が形成され、これによって、拡幅された第３嵌合部７５の、断熱パネル２３との対向面に沿って、貯留部８７，８９が、延びるように形成される。なお、被覆部７７，７９は、シール部材（図示省略）を介して第１カバー２５及び第２カバー２７の側部に密着している。
【００２２】
次に、前述したアオリの組立手順を、主に図２〜図４を参照しながら例示する。
まず、第１カバー２５の第１嵌合部３５の貯留部４５，４７に接着部材９７（例えば、変成シリコン系の接着剤）を充填し、断熱パネル２３の上端に、第１嵌合部３５を装着する。次に、第２カバー２７の第２嵌合部５５の貯留部６３，６５に接着部材９７を充填し、断熱パネル２３の下端に、第２嵌合部５５を装着する。その後、一対の第３カバー２９ａ，２９ｂの第３嵌合部７５の貯留部８７，８９に接着部材９７を充填し、第３嵌合部７５を断熱パネル２３の側端に装着する。このとき、一対の第３カバー２９ａ，２９ｂの被覆部７７，７９（図９参照）は、第１カバー２５及び第２カバー２７の側部にシール部材を介して当接する。
【００２３】
さて、この実施形態によれば、以下のような作用効果を奏するものとなる。
すなわち、ウイングボデー１のアオリ１７Ｌ，１７Ｒは、断熱パネル２３と、断熱パネル２３の上端に装着される、第１嵌合部３５を有する第１カバー２５と、断熱パネル２３の下端に装着される、第２嵌合部５５を有する第２カバー２７と、断熱パネル２３の側端に装着される、第３嵌合部７５を有する一対の第３カバー２９ａ，２９ｂと、を有している。そして、断熱パネル２３と、第１カバー２５の第１嵌合部３５、第２カバー２７の第２嵌合部５５及び一対の第３カバー２９ａ，２９ｂの第３嵌合部７５とは、接着部材９７によって固着されている。これにより、断熱パネルは、軽量化され、かつ、各部の固定にボルトを用いる場合に必要となる穴あけ加工が不要になるので、加工工数が減少し、構造が簡単なものとなる。また、製造コストの負担を減らすことが可能となる。
【００２４】
また、本実施形態によれば、断熱パネル２３は、断熱パネル２３の外縁部（すなわち、上端、下端及び側端）を第１カバー２５、第２カバー２７及び第３カバー２９ａ，２９ｂに対し、各々第１嵌合部３５、第２嵌合部５５及び第３嵌合部７５を介して、通しボルトを用いずに固着しているので、全体に均一な強度を持たせることが可能となる。
【００２５】
更に、本実施形態によれば、第１嵌合部３５、第２嵌合部５５及び第３嵌合部７５の内面に貯留部４５，４７，６３，６５，８７，８９を設けることにより、接着部材９７を適量に溜められるものとなり、接着強度を安定させることが可能となる。また、接着部材９７の無駄を省き、コストを抑えることが可能となる。更に、断熱パネル２３を第１嵌合部３５、第２嵌合部５５及び第３嵌合部７５に嵌合する際、接着部材９７のはみ出しを防ぐことが可能となる。
【００２６】
また、本発明によれば、貯留部４５，４７，６３，６５，８７，８９は、断熱パネル２３との対向面に沿って延びる溝とすることにより、断熱パネル２３の表面に沿った広い範囲に接着部材が塗布され、断熱パネル２３との固着をより確実にすることが可能となる。
【００２７】
なお、上記説明では、本発明をトレーラに適用した場合を例示したが、自走式のトラック等の貨物自動車に搭載されるウイングボデーにも、適用可能でることは理解されるであろう。
【符号の説明】
【００２８】
３  ウイングボデー、１１Ｌ，１１Ｒ  ウイングルーフ、１７Ｌ，１７Ｒ  アオリ、２３  断熱パネル、２５  第１カバー、２７  第２カバー、２９ａ，２９ｂ  第３カバー、３５  第１嵌合部、５５  第２嵌合部、７５  第３嵌合部、９７  接着部材
【図１】
2017077826.tif 000003
【図２】
2017077826.tif 000004
【図３】
2017077826.tif 000005
【図４】
2017077826.tif 000006
【図５】
2017077826.tif 000007
【図６】
2017077826.tif 000008
【図７】
2017077826.tif 000009
【図８】
2017077826.tif 000010
【図９】
2017077826.tif 000011
【図１０】
2017077826.tif 000012
【図１１】
2017077826.tif 000013
【図１２】
2017077826.tif 000014
【図１３】
2017077826.tif 000015